(57)【特許請求の範囲】
【請求項１】
鼻から口元、及び首筋を包囲可能なマスクであって、
両端に耳掛け紐が設けられた、前記鼻から口元を覆うマスク部と、
前記マスク部の下端部に設けられ、前記首筋の前側を覆う首筋前部と、
前記首筋前部の両端部にそれぞれ設けられ、前記首筋の後側を覆う１対の首筋後部と、
前記１対の首筋後部の、前記首筋前部と接続する端部と反対側の端部に設けられ、前記１対の首筋後部同士を連結する固定具と、
前記マスク部の下端部と、前記首筋前部の上端部との間に形成された開口部と、
前記マスク部の中央部に設けられ、少なくとも、この中央部の形状を設定可能とする第１形状保持部材と、
前記マスク部の両端それぞれに設けられ、両耳を覆う１対の耳当て部と、
を備えるマスクにおいて、
前記１対の耳当て部は、各一方端部において、前記マスク部の左端部及び右端部と一体的に構成し、また、この１対の耳当て部は、各一方下端部において、前記首筋後部の上端部に、それぞれ縫着する構成とし、
また、この１対の耳当て部の各他方端部及び各上端部に、耳当て側形状保持部材を設けることを特徴とするマスク。
【請求項２】
前記マスク部の上端端部の幅方向の長さを緊縮し、中央下端部との間に幅方向の長短を確保し、気道を確保する、
ことを特徴とする請求項１に記載のマスク。
【請求項３】
前記１対の耳当て部は、前記マスク部と接続する端部と反対側の端部に、鉛直方向に延び、形状を自在に変更可能な第２形状保持部材を有する、
ことを特徴とする請求項２に記載のマスク。
【請求項４】
前記マスク部に設けられ、脱臭剤、及び芳香剤の少なくともいずれかが含浸された部材をさらに備える、
ことを特徴とする請求項１乃至３のいずれか１項に記載のマスク。
【請求項５】
前記マスク部に設けられた袋部と、
前記袋部内に着脱可能に設けられ、脱臭剤、及び芳香剤の少なくともいずれかを含む部材と、をさらに備える、
ことを特徴とする請求項１乃至４のいずれか１項に記載のマスク。
【発明の詳細な説明】
【技術分野】
【０００１】
本発明は、鼻から口元、及び首筋を包囲可能なマスクに関する。
【背景技術】
【０００２】
従来、鼻から口元、及び首筋から胸元、並びに肩部を包囲できるマスクとして、特許文献１のマスクがある。このマスクは、鼻から口元を包囲するマスク部と、そのマスク部に設けられ、首筋前側に添設された首筋前部と、マスク部の下端部と、首筋胸元前部の上端端部との間に形成した開口部と、を有する。そして、この開口部により、マスクの内外気のスムーズな流通を図り、息苦しさを解消している。
【先行技術文献】
【特許文献】
【０００３】
【特許文献１】特開２０１３−５８３４号公報
【発明の概要】
【発明が解決しようとする課題】
【０００４】
特許文献１に記載のマスクでは、マスクを装着しているユーザが、通常の作業や軽い運動を行っている場合には、さして問題ではない。しかし、スポーツや散歩等により体を動かしている状態において、排気、又は、吸込みを図るには必ずしも十分ではないと思われる。
【０００５】
本発明は、前述の点を解決するとともに、マスクの領域を超える構造を提案し、殊に、目的とする使用態様で、息苦しさを解消することが可能なマスクを提供することを目的とする。
【課題を解決するための手段】
【０００６】
上記目的を達成するため、本発明に係るマスクは、
鼻から口元、及び首筋を包囲可能なマスクであって、
両端に耳掛け紐が設けられた、前記鼻から口元を覆うマスク部と、
前記マスク部の下端部に設けられ、前記首筋の前側を覆う首筋前部と、
前記首筋前部の両端部にそれぞれ設けられ、前記首筋の後側を覆う１対の首筋後部と、
前記１対の首筋後部の、前記首筋前部と接続する端部と反対側の端部に設けられ、前記１対の首筋後部同士を連結する固定具と、
前記マスク部の下端部と、前記首筋前部の上端部との間に形成された開口部と、
前記マスク部の中央部に設けられ、少なくとも、この中央部の形状を設定可能とする第１形状保持部材と、
前記マスク部の両端それぞれに設けられ、両耳を覆う１対の耳当て部と、
を備えるマスクにおいて、
前記１対の耳当て部は、各一方端部において、前記マスク部の左端部及び右端部と一体的に構成し、また、この１対の耳当て部は、各一方下端部において、前記首筋後部の上端部に、それぞれ縫着する構成とし、
また、この１対の耳当て部の各他方端部及び各上端部に、耳当て側形状保持部材を設けることを特徴とする。
【０００７】
前記マスク部の上端端部の幅方向の長さを緊縮し、中央下端部との間に幅方向の長短を確保し、気道を確保してもよい。
【０００８】
前記１対の耳当て部は、前記マスク部と接続する端部と反対側の端部に、鉛直方向に延び、形状を自在に変更可能な第２形状保持部材を有してもよい。
【０００９】
前記マスク部に設けられ、脱臭剤、及び芳香剤の少なくともいずれかが含浸された部材をさらに備えてもよい。
【００１０】
前記マスク部に設けられた袋部と、
前記袋部内に着脱可能に設けられ、脱臭剤、及び芳香剤の少なくともいずれかを含む部材と、をさらに備えてもよい。
【発明の効果】
【００１１】
本発明によれば、目的とする使用態様で、息苦しさを解消することができる。
【図面の簡単な説明】
【００１２】
【図１】ユーザが実施形態に係るマスクを装着した状態を示す正面図である。
【図２】ユーザが実施形態に係るマスクを装着した状態を示す側面図である。
【図３】ユーザが実施形態に係るマスクを装着した状態を示す背面図である。
【図４】ユーザが実施形態に係るマスクを装着した状態を示す上面図である。
【図５】マスクを展開した状態を示す正面図である。
【図６】図５の要部拡大図である。
【図７】マスクを展開した状態を示す裏面図である。
【図８】図７の要部拡大図である。
【図９】ユーザが実施形態に係るマスクを装着した状態で、マスク部下端を持ち上げた状態を示す正面図である。
【図１０】ユーザが上記実施形態の変形例に係るマスクを装着した状態を示す側面断面図である。
【発明を実施するための形態】
【００１３】
以下、本発明の実施形態について図面を参照して説明する。
【００１４】
本実施形態に係るマスク１は、図１〜８に示すように、マスク部１１と、首筋前部１２と、１対の首筋後部１３と、１対の耳当て部１４と、を縫着して構成される。
【００１５】
マスク部１１は、鼻から口元を包囲する。マスク部１１は、図５に示すように、正面から見て、曲面形状の上端部１１ａと、上端部１１ａから下方へやや膨出した曲面形状の下端部１１ｂと、上端部１１ａ及び下端部１１ｂの左右側の端をそれぞれ繋ぐ左端部１１ｃ及び右端部１１ｄと、上端部１１ａ及び下端部１１ｂの中央部を繋ぐ中央部１１ｅと、から構成される。
【００１６】
マスク部１１の上端部１１ａには、図１に示すように、襞１１ｆが設けられている。襞１１ｆは、例えば、マスク部１１の上端端部１１ａにゴム等の弾性体を縫着することにより形成される。襞１１ｆは、マスク部１１の鼻へのフィット感を向上させ、マスク部１１のズレ防止を図ることにより、上端部１１ａと鼻との隙間から、紫外線や、塵、埃等が進入することを防ぐ。
【００１７】
また、マスク部１１の左端部１１ｃ及び右端部１１ｄの裏面には、１対の耳掛け紐１５が設けられる。
【００１８】
また、マスク部１１の中央部１１ｅには、形状を自在に設定可能なマスク側形状保持部材が設けられている。マスク側形状保持部材は、例えば、形状を保持可能な素材（金属、プラスチック等）で形成されたワイヤー、又はそのワイヤーを芯とするテープから構成され、中央部１１ｅに縫着されている。また、このマスク側形状保持部材は、任意な角度に折曲げ可能であり、マスク部１１の突出し形状の変化に、対応できるので、図示の例の他に、後述する気道面積の拡縮が可能であり、吸気、排気の調整と、暖冷気調整効果等にも有効である。
【００１９】
首筋前部１２は、首筋の前側を包囲する。首筋前部１２は、図７に示すように、マスク部１１の下側領域と重なるように設けられた上端部１２ａと、上端部１２ａより末広がりで、かつ略同じ曲線形状の下端部１２ｂと、上端部１２ａ及び下端部１２ｂの左右端をそれぞれ繋ぐ左端部１２ｃ及び右端部１２ｄとから構成される。首筋前部１２は、略矩形の一枚の伸縮性を有する布地から形成される。また、首筋前部１２の縦方向の長さは、図１及び図２に示すように、上端部１２ａが顎に接する状態で、下端部１２ｂが胸元の上側領域に接する程度の長さである。
【００２０】
また、首筋前部１２の上端部１２ａには、図７及び図８に示すように、襞１２ｅが設けられている。襞１２ｅは、例えば、上端端部１２ａにゴム等の弾性体を縫着することにより形成される。襞１２ｅは、顎への首筋前部１２のフィット感を向上させ、首筋前部１２のズレ防止を図ることにより、上端部１２ａと顎との隙間から、塵や埃が進入することを防ぐ。また、上端部１２ａの幅方向の長さを緊縮し、中央下端部１１ｂｃとの間に幅方向の長短を確保し、開口部１７の常時、開口を確保する（すなわち、後述する図１０の気道２３を確保する）。
【００２１】
１対の首筋後部１３は、首筋の後側を包囲するとともに、マスク１の装着時において、首筋前部１２とともに首筋を緊締する。１対の首筋後部１３は、図５〜図８に示すように、一方端部１３ａにおいて、首筋前部１２の左端部１２ｃ及び右端部１２ｄそれぞれに縫着されている。
【００２２】
また、首筋後部１３の他方端部１３ｂには、首筋後部１３と首筋前部１２を首筋に所望の緊締感で取り付けるための固定具１６が設けられている。固定具１６は、ボタン及びボタンホール、面ファスナー、フック等から構成される。
【００２３】
１対の耳当て部１４は、耳を覆う。１対の耳当て部１４は、一方端部１４ａにおいて、マスク部１１の左端部１１ｃ及び右端部１１ｄと一体的に構成されている。具体的には、マスク部１１の右半分及び一方の耳当て部１４と、マスク部１１の左半分及び他方の耳当て部１４とは、それぞれ一枚の伸縮性を有する布地から構成されている。また、耳当て部１４は、下端部１４ｂにおいて、首筋後部１３の上端部１３ｃに縫着されている。
【００２４】
また、耳当て部１４の他方端部１４ｃ及び上端部１４ｄには、耳当て側形状保持部材が設けられる。耳当て側形状保持部材は、例えば、マスク側形状保持部材と同様に、形状を保持可能な素材（金属、プラスチック等）で形成されたワイヤー、又はそのワイヤーを芯とするテープから構成され、他方端部１４ｃ及び上端部１４ｄに縫着されている。この耳当て側形状保持部材により、耳当て部１４は、マスク１が装着された状態において、重力により下へ垂れ下がらずに、直立した状態となり、耳を覆った状態を維持することができる。また、この形状を保持可能な素材は、任意な方向に折曲げ可能であり、耳当て部１４の形状の変化に、対応できるので、図示の例の他に、角部を湾曲形状とすること、又は、耳形形状とすること等も可能であり、耳部の日焼け防止、防寒効果等にも有効である。
【００２５】
なお、上記において説明したマスク部１１の右半分及び一方の耳当て部１４、マスク部１１の左半分及び他方の耳当て部１４、首筋前部１２、及び１対の首筋後部１３は、別個の布地から構成され、それらを縫着することにより、一体としてマスク１を構成する。ここで、各布地において、その裁断面のほつれを防止するためにロックミシン等によりかがり縫い処理が施されている場合、その処理部分が露出していると、マスク１を装着したユーザの肌に当たって負担をかける可能性がある。従って、マスク１を構成する各布地を縫着するに当たり、その縫着箇所においては、かがり縫い処理が施されているが内側となるように縫製されている。
【００２６】
次に、開口部１７について説明する。図９は、ユーザが実施形態に係るマスク１を装着した状態で、マスク部１１の下端部１１ｂを持ち上げた状態を示す正面図である。開口部１７は、マスク部１１の下端部１１ｂと、首筋前部１２の上端部１２ａとにより形成される。具体的には、開口部１７は、図５〜図８に示すように、マスク部１の左下端部１１ｂａと首筋前部１２の左上端部１２ａａを縫着し、マスク部１１の右下端部１１ｂｂと首筋前部１２の右上端部１２ａｂを逢着し、マスク部１１の中央下端部１１ｂｃと首筋前部１２の中央上端部１２ａｃを縫着しないことにより形成される。
【００２７】
また、開口部１７は、マスク部１１の下端部１１ｂを図９の状態から下方へ引き下げることで、下端部１１ｂにより覆い隠される。この開口部１７の隠蔽を確実にするため、マスク部１１の中央部１１ｅの長さは、左端部１１ｃ及び右端部１１ｄよりも長く、中央下端部１１ｂｃは、下方に向かって膨出するように形成されている。また、開口部１７の開口面積を確保するために、マスク部１１の中心下端部１１ｂｃの幅方向の長さは、首筋前部１２の中央上端部１２ａｃの幅方向の長さよりも長くなるように、構成されている。すなわち、マスク部１１の左下端部１１ｂａ及び右下端部１１ｂｂそれぞれと、首筋前部１２の左上端部１２ａａ及び右上端部１２ａｂそれぞれとは、中央上端部１２ａｃがゆとりを持つように、縫着されている。
【００２８】
次に、以上のように構成されるマスク１の使用方法について説明する。
【００２９】
まず、ユーザは、マスク部１１を、自身の鼻と口元に当て、耳掛け紐１５を、両耳に掛ける。これにより、マスク部１１が、鼻と口元を覆うとともに、マスク１が顔に装着される。
【００３０】
次に、ユーザは、首筋前部１２を首筋前側に添設し、首筋後部１３を肩及び首筋後側に添設するとともに、固定具１６により、左右の首筋後部１３を固定する。これにより、首筋前部１２の上端部１２ａ及び首筋後部１３の上端部１３ｃが、一定の張力をもって、ユーザの顎及び首の周囲に接するとともに、首筋前部１２及び首筋後部１３が、首筋を包囲する。
【００３１】
また、１対の首筋後部１３が固定具１６により固定されたことにより、１対の耳当て部１４が直立した状態となり、耳を覆う。
【００３２】
以上説明したマスク１では、マスク部１１の中央部１１ｅに形状保持部材を設けることにより、常時、息の吸込み及び吐き出しのための開口部１７を確保することができる。従って、マスク１を装着したユーザが、スポーツや散歩等で体を動かしているときであっても、開口部１７が常時確保され、息苦しさを解消することができる。
【００３３】
また、形状を自在に設定可能な形状保持部材を用いて開口部１７を確保することにより、開口部１７の開き度合をユーザが所望する度合に保持することができる。
【００３４】
また、直立した状態を維持可能な耳当て部１４を設けることにより、耳の日焼けを防止することができる。
【００３５】
また、首筋前部１２の下端部１２ｂは、胸元の上部領域に接する程度の長さであるため、胸元の大部分を覆う特許文献１のマスクと比較して、胸元を覆う面積が小さく、公道でも違和感なく使用することができる。
【００３６】
以上、本発明の実施形態について説明したが、本発明は実施形態によって限定されるものではない。
【００３７】
例えば、以上の説明では、マスク部１１の右半分及び一方の耳当て部１４、マスク部１１の左半分及び他方の耳当て部１４、首筋前部１２、及び１対の首筋後部１３について、個別の布地を利用して、それらを縫着することにより、マスク１を構成する例について説明した。しかし、マスク１の構成はこれに限られない。例えば、マスク部１１と１対の耳当て部１４とを一枚の布地として、首筋前部１２と首筋後部１３とを一枚の布地とし、これらを縫合することによりマスク１を構成してもよい。上記実施形態におけるマスク１の構成は、例えば、布地の節約、作業性・機能性の向上を考慮して決定されたが、いずれの構成とするかは、これらの他、コスト、人材、合理性等を考慮して決定してもよい。
【００３８】
また、上記の実施形態において、マスク１が耳当て部１４を備える構成を原則とする。図１０は、ユーザが上記実施形態の変形例に係るマスク２を装着した状態を示す側面断面図である。図１０に示すマスク２は、鼻及び口元を包囲するマスク部２１と、首筋を包囲する首筋部２２とから構成される。マスク部２１は、上記実施形態と同様に、その中央部２１ａにマスク側形状保持部材が設けられている。従って、鼻及び口から吸い込まれる（吸気）、または排気される空気の通り道が確保されるように、マスク側形状保持部材の形状を設定することにより、マスク部２１と首筋部２２の前側部分との間に空気の通り道となる気道２３を常時確保することができる。
【００３９】
また、上記の実施形態に係るマスク１において、さらにマスク部１１の内面、すなわちユーザの鼻及び口元と接触する部分に、脱臭剤や芳香剤を含浸させたガーゼ等の布地を設けてもよい。これにより、ユーザに清涼感を与え、また、悪臭を除去することができる。
【００４０】
また、上記の実施形態に係るマスク１において、さらにマスク部１１に袋部を設け、その袋部内に脱臭剤や芳香剤をガーゼや不織布等の布地で包装したフィルターパックを収納してもよい。これにより、ユーザに清涼感を与え、また、悪臭を除去することができるとともに、これらの効能が低下した場合には、フィルターパックを交換すれば足りるため、経済的である。
【００４１】
本発明は、本発明の広義の精神と範囲を逸脱することなく、様々な実施形態及び変形が可能とされるものである。上述した実施形態は、本発明を説明するためのものであり、本発明の範囲を限定するものではない。
【符号の説明】
【００４２】
１        マスク
１１      マスク部
１１ａ    上端部
１１ｂ    下端部
１１ｂａ  左下端部
１１ｂｂ  右下端部
１１ｂｃ  中央下端部
１１ｃ    左端部
１１ｄ    右端部
１１ｅ    中央部
１１ｆ    襞
１２      首筋前部
１２ａ    上端部
１２ａａ  左上端部
１２ａｂ  右上端部
１２ａｃ  中央上端部
１２ｂ    下端部
１２ｃ    左端部
１２ｄ    右端部
１２ｅ    襞
１３      首筋後部
１３ａ    一方端部
１３ｂ    他方端部
１３ｃ    上端部
１４      耳当て部
１４ａ    一方端部
１４ｂ    下端部
１４ｃ    他方端部
１４ｄ    上端部
１５      耳掛け紐
１６      固定具
１７      開口部
２        マスク
２１      マスク部
２１ａ    中央部
２２      首筋部
２３      気道
【要約】
【課題】目的とする使用態様で、息苦しさを解消することが可能なマスクを提供する。
【解決手段】マスク１は、鼻から口元、及び首筋を包囲可能なマスクである。マスク部１１は、両端に耳掛け紐が設けられ、鼻から口元を覆う。首筋前部１２は、マスク部１１の下端部１１ｂに設けられ、首筋の前側を覆う。１対の首筋後部１３は、首筋前部１２の両端部にそれぞれ設けられ、首筋の後側を覆う。固定具は、１対の首筋後部１３の、首筋前部１２と接続する端部と反対側の端部に設けられ、１対の首筋後部１３同士を連結する。気道は、マスク部１１の下端部１１ｂと、首筋前部１２の上端部との間に形成される。形状保持部材は、マスク部１１の上端部１１ａの中央部から、マスク部１１の下端部１１ｂの中央部まで延びるように設けられ、形状を自在に設定可能である。耳当て部１４は、その外縁部に形状保持部材が設けられ、耳を覆う。
【選択図】図２【図１】
0005466781.tif 000002
【図２】
0005466781.tif 000003
【図３】
0005466781.tif 000004
【図４】
0005466781.tif 000005
【図５】
0005466781.tif 000006
【図６】
0005466781.tif 000007
【図７】
0005466781.tif 000008
【図８】
0005466781.tif 000009
【図９】
0005466781.tif 000010
【図１０】
0005466781.tif 000011